(57)【要約】【課題】遊技機の音が遊技者に届きやすく、しかも特殊な音声発生手段が不要で、また、遊技盤と共に音声発生手段の交換が可能で、さらにはガラス枠の開閉時に音声発生手段の配線が邪魔にならないようにする。【解決手段】遊技盤４の前面側に遊技領域を視認可能な複数の透光部材２１，２３を設け、遊技盤４には音声発生手段２５を設け、音声発生手段２５に通じる中空筒状部材３１を透光部材２１，２３と遊技盤４間に設け、透光部材２１，２３には貫通口部２４を設けて前記貫通口部２４に中空筒状部材３１を貫通させると共に、貫通口部２４の周縁から中空筒状部材３１の外周を囲むように突出した中空筒状部材保護部２４ａを設けた。【選択図】図３
2006068569.tif 000002
【特許請求の範囲】
【請求項１】
遊技球の流下する遊技領域が設けられた遊技盤と、
遊技情報を音声発生部から発生する音声発生手段と、
前記遊技盤の前面側には前記遊技領域を視認可能な透光部材が設けられた遊技機において、
前記遊技盤に前記音声発生手段を設け、
前記音声発生手段に通じると共に前記音声発生手段の前方が開口した中空筒状部材を、前記音声発生手段前方の開口部が前記透光部材を向くようにして、前記透光部材と前記遊技盤間に設け、
前記透光部材を複数層で構成し、少なくとも最も遊技盤に近い透光部材に貫通口部を設け、前記貫通口部に前記中空筒状部材を貫通させると共に、前記貫通口部の周縁から前記中空筒状部材の外周を囲むように突出した中空筒状部材保護部を設けたことを特徴とする遊技機。
【発明の詳細な説明】
【技術分野】
【０００１】
本発明は、遊技機に関し、特には遊技盤の前面側に透光部材を備え、前記遊技盤に音声発生手段を設けた遊技機に関する。
【背景技術】
【０００２】
従来、パチンコ遊技機などの大部分の遊技機では、スピーカが遊技機の前面枠（内枠とも称される。）に設けられており、一度前面枠にスピーカが設けられると、その後、遊技内容が変更されることがあってもスピーカを付け替えることは、殆ど行われていなかった。また、スピーカに相当するユニットを、遊技盤と対向するガラス板に密着して取り付け、前記ユニットによってガラス板を振動させる遊技機も提案されている。
【０００３】
【特許文献１】特開平７−８６０１号公報
【発明の開示】
【発明が解決しようとする課題】
【０００４】
前記スピーカに相当するユニットを遊技盤と対向するガラス板に密着して取り付けた遊技機にあっては、ガラス板が邪魔して音が遊技者に届きにくく、しかも特殊なユニットが必要になると共に、ガラス板の開閉時に前記ユニットの配線が邪魔になるなど、新たな問題を生じるようになる。
【０００５】
本発明は、前記の点に鑑みなされたもので、遊技機の音が遊技者に届きやすく、しかも特殊な音声発生手段が不要で、また、遊技盤と共に音声発生手段を交換することが可能で、さらにはガラス枠の開閉時に音声発生手段の配線が邪魔にならない遊技機を提供するものである。
【課題を解決するための手段】
【０００６】
請求項１の発明は、遊技球の流下する遊技領域が設けられた遊技盤と、遊技情報を音声発生部から発生する音声発生手段と、前記遊技盤の前面側には前記遊技領域を視認可能な透光部材が設けられた遊技機において、前記遊技盤に前記音声発生手段を設け、前記音声発生手段に通じると共に前記音声発生手段の前方が開口した中空筒状部材を、前記音声発生手段前方の開口部が前記透光部材を向くようにして、前記透光部材と前記遊技盤間に設け、前記透光部材を複数層で構成し、少なくとも最も遊技盤に近い透光部材に貫通口部を設け、前記貫通口部に前記中空筒状部材を貫通させると共に、前記貫通口部の周縁から前記中空筒状部材の外周を囲むように突出した中空筒状部材保護部を設けたことを特徴とする。
【発明の効果】
【０００７】
請求項１の発明によれば、遊技盤に前記音声発生手段を設け、前記音声発生手段に通じると共に前記音声発生手段の前方が開口した中空筒状部材を、前記音声発生手段前方の開口部が前記透光部材を向くようにして、前記透光部材と前記遊技盤間に設けたため、前記中空筒状部材が音声発生手段の音声を集めることができ、前記透光部材を介して遊技者に効率的に音声が届くようにすることができる。さらに、前記音声発生手段を遊技盤に設けたため、前記透光部材の開閉時に、前記音声発生手段の配線が邪魔にならないという利点もある。
【０００８】
また、請求項１の発明によれば、透光部材を複数層で構成し、少なくとも最も遊技盤に近い透光部材に貫通口部を設けて前記貫通口部に中空筒状部材を貫通させたため、前記中空筒状部材で集音された音声発生手段の音声を、少なくとも最も遊技盤に近い透光部材に遮られることなく遊技者に届かせることができる。したがって、複数層の透光部材を有する遊技機であっても、明瞭な音声を遊技者に効率良く聞かせることができる。
【０００９】
さらに、請求項１の発明によれば、透光部材の貫通口部周縁から中空筒状部材の外周を囲むように突出した中空筒状部材保護部を設けたため、遊技領域を流下する遊技球が直接中空筒状部材に衝突するのを防ぐことができ、前記衝突による前記中空筒状部材の損傷を生じ難くできる。
【発明を実施するための最良の形態】
【００１０】
以下図面を用いて本発明の実施形態を説明する。図１は本発明の一実施例に係る遊技機を示す正面図、図２は図１の遊技機におけるガラス枠を開けた状態の斜視図、図３は図１の遊技機におけるスピーカ部分の縦断面図、図４は弾性部材と中空筒状部材とスピーカと台座部材を示す斜視図、図５は前面枠と遊技盤の斜視図、図６は前面枠へ遊技盤を取り付けた状態の斜視図、図７は保護カバーと弾性部材とガラス板と中空筒状部材と台座部材を示す斜視図、図８は他の実施例におけるスピーカ部分の縦断面図、図９は図８の実施例における保護カバーとガラス板と中空筒状部材と台座部材を示す斜視図、図１０は保護カバーを設けない場合の遊技機正面図、図１１はさらに他の例における中空筒状部材とスピーカ取付部の断面図ある。
【００１１】
図１ないし図３に示す本発明の一実施例に係る遊技機１は、パチンコ遊技機からなり、遊技機１の外周を保護する機枠（木材等で構成され、外枠とも称される。）２に、前面枠（プラスチック等で構成され、内枠とも称される。）３が開閉可能にヒンジ等で取り付けられている。前記前面枠３には略中央に開口窓が形成され、前記開口窓を裏側から塞ぐようにして遊技盤４が取り付けられて前面枠３等で構成される遊技機本体から着脱可能にされている。本実施例では、図４及び図５に示すように、前記前面枠３の背面縁部には、遊技盤押さえ部材Ｆが回動可能に軸着されており、前記前面枠３の背面側に遊技盤４を配置後、前記遊技盤押さえ部材Ｆを回動させて前記遊技盤４の背面に前記遊技盤押さえ部材Ｆの押さえ爪部分を重ねることによって遊技盤４が取り付けられる。また、前記遊技盤押さえ部材Ｆを回動させて前記遊技盤押さえ部材Ｆの押さえ爪部分が遊技盤４の背面上に位置しないようにすれば、前記前面枠３からの遊技盤４の取り外しが可能になる。さらに前記前面枠３には、前記遊技盤４の前面側にガラス枠５が開閉可能にヒンジ等で取り付けられている。前記ガラス枠５には、本発明における透光部材に相当するガラス板が取り付けられている。この例のガラス板（透光部材）は、図３及び図６等から理解されるように、外側ガラス板２１と内側ガラス板２３の複数で構成されており、前記遊技盤４の保護を高めている。また、前記前面枠３の下部には、発射装置Ｈ、上側球受け皿１５、下側球受け皿１７及び前面枠スピーカ１９が設けられている。符号２０はプリペイドカードユニットである。
【００１２】
前記遊技盤４の前面には略円形のガイドレール６によって遊技領域７が区画形成され、前記遊技領域７の中央に判定用画像装置９、その下方に入賞口１１、大入賞口１２、始動口１３等が設けられている。そして、前記発射装置Ｈから発射されて遊技領域７を流下する遊技球が前記入賞口１１や大入賞口１２に入球すると、所定数の遊技球が賞品として前記上側球受け皿１５に払い出され、また前記始動口１３に入球すると、前記判定用画像表示装置９で図柄が変動表示し、その後の停止により表示された図柄が特定の図柄となった場合に大当たりを構成し、前記大入賞口１２が開いて遊技球を入球しやすくするようになっている。なお、前記上側球受け皿１５で遊技球が一杯になった場合等には、前記上側球受け皿１５から下側球受け皿１７へ遊技球を誘導することができるようになっている。また、前記前面枠スピーカ１９は、音楽を流したり、遊技球の入賞等の際に音を発したりするなど、遊技情報を発生できるようになっている。
【００１３】
さらに、本発明においては、前記遊技盤４に、遊技盤スピーカ２５が設けられている。前記遊技盤スピーカ２５は、本発明における音声発生手段に相当し、遊技情報、例えば、入賞時や大当たり時に音声を発したり、遊技の進行に合わせて音楽等の効果音を発生したりする。前記遊技盤スピーカ２５は、図６に示すように、音声発生部として振動板（コーン部）２５ａを備え、前記振動板２５ａから音声を発する。前記遊技盤スピーカ２５の位置は、前記遊技盤４上において特に限定されるものではないが、遊技球の入賞経路（入賞口や大入賞口へ流下する経路）を避けて、遊技球の入賞（入賞口や大入賞口への入球）を阻害するおそれの少ない位置が好ましい。本実施例では、前記遊技領域７の下部における始動口１３の両側に遊技盤スピーカ２１が設けられている。また、前記遊技盤スピーカ２５は、図示の例のような２個に限定されず、１個あるいは３個以上であってもよい。
【００１４】
前記遊技盤スピーカ２５は、本実施例では、図３、図６及び図７に示すように、台座部材２７と中空筒状部材３１とによって周縁が挟まれた状態で前記遊技盤４に取り付けられる。
【００１５】
前記台座部材２７は、座面２８の前面に筒部２９が突設されていて、前記遊技盤４に形成された台座部材取付穴４ａに裏側から前記台座部材の筒部２９が挿通され、前記座面２８が遊技盤４の裏面にネジ等で固定される。
【００１６】
前記中空筒状部材３１は、両端に開口部３２，３３が形成された中空の筒状からなり、側壁外周面にフランジ３５が突出形成され、前記フランジ３５より前方側（遊技者側）が前側筒状部３６、後方側（遊技機背面側）が後側筒状部３７を構成している。
【００１７】
前記後側筒状部３７は、前記遊技盤４の前方側（遊技者側）から前記台座部材２７の筒部２９に挿入可能な外径からなり、前記後側筒状部３７の台座部材側先端の内周にスピーカ押さえ用切り欠き段部３８が形成されている。前記スピーカ押さえ用切り欠き段部３８は、前記台座部材２７の筒部２９に前記振動板２５ａが前方（遊技者側）向きとなるようにして収容した遊技盤スピーカ２５の周縁を、前記台座部材２７の内底面２８ａとの間で挟持固定し、前記遊技盤スピーカ２５を前記台座部材２７と前記中空筒状部材３１間に保持する。また、前記中空筒状部材３１の内周面は、前記遊技盤スピーカ２５の側から前方側（遊技者側）へ向けて拡開したラッパ形状とされ、前記遊技盤スピーカ２５の音声を前方側（遊技者側）へ向けて拡大する拡声器の作用をするようにされている。
【００１８】
前記中空筒状部材３１のフランジ３５は、前記遊技盤４の前面側にネジ等で固定される。それによって、前記中空筒状部材３１は、一方の前記開口部３２が前記遊技盤スピーカ２５の振動板２５ａと通じ、他方の前記開口部３３が前記ガラス板２１，２３を向くようにして遊技盤４の前面側に取り付けられる。なお、前記台座部材２７及び中空筒状部材３１は、適宜の材質とされるが、本実施例ではプラスチックで構成されている。
【００１９】
さらに、本実施例では、前記中空筒状部材３１の外側ガラス板２１側を向いた開口部３３の縁部３３ａに、弾性部材４１が設けられる。前記弾性部材４１は、ゴムやスポンジ等からなる。本実施例の弾性部材４１は、中央部が開口した環状からなって、前記弾性部材４１の遊技盤４側の周縁に嵌合溝４１ａが形成され、前記嵌合溝４１ａに前記中空筒状部材３１の遊技者側を向く開口部３３の縁部３３ａが嵌合するようになっている。なお、前記弾性部材４１は、スポンジのような音通過性の高い材質からなる場合には、中央部が開口していないものであってもよい。
【００２０】
前記複数のガラス板のうち少なくとも最も内側のガラス板、本実施例では内側ガラス板２３には、前記中空筒状部材３１の前側筒状部３６が貫通可能な貫通口部２４が形成されている。前記貫通口部２４の周縁には、前記遊技盤４側へ突出した環状の中空筒状部材保護部２４ａが形成され、前記中空筒状部材保護部２４ａによって前記中空筒状部材３１における前側筒状部３６の外周面が包囲される。そのため、前記遊技領域７を流下する遊技球が前記中空筒状部材３１の外面に当たって、前記中空筒状部材３１が破損するのを防止することができる。
【００２１】
また、前記外側ガラス板２１には、前記外側ガラス板２１側へ向けた中空筒状部材３１の開口部３３の延長線上に音声通過用開口部２２が形成されている。前記音声通過用開口部２２の存在によって、前記遊技盤スピーカ２５からの音声が、より明確に遊技者に届くようになる。なお、前記音声通過用開口部２２は、前記中空筒状部材３１において外側ガラス板２１側を向いた開口部３３の内径より小として、前記音声通過用開口部２２の縁部全周における外側ガラス板２１の内面と前記弾性部材４１の先端面が当接するように構成するのが好ましい。このようにすると、前記外側ガラス板２１と前記中空筒状部材３１間からの音声の漏れを前記弾性部材４１で防止でき、前記遊技盤スピーカ２５からの音声が前記中空筒状部材３１を通って遊技者側へ効率良く届くようになる。しかも、前記ガラス枠５を閉じる際などには、前記外側ガラス板２１と、前記中空筒状部材３１における開口部３３の縁部３３ａに設けた弾性部材４１とが接触して緩衝作用を発揮するため、前記外側ガラス板２１と中空筒状部材３１同士が直接接触して互いに押圧し合うことによる双方の損傷を発生し難くできる。
【００２２】
前記外側ガラス板２１の音声通過用開口部２２は、保護カバー４５によって覆われる。前記保護カバー４５には小孔４６が複数形成され、前記スピーカ２５の音声を遊技者側へ届きやすくしている。本実施例では、前記保護カバー４５として、パンチングメタルが用いられ、前記保護カバー４５が前記音声通過用開口部２２を覆うようにして前記外側ガラス板２１の外面に接着剤やネジ等で固定されている。なお、前記保護カバー４５は、パンチングメタルに限られるものではなく、プラスチック製あるいは金属製の網材、メッシュの布材等、小孔として機能する部分を有する適宜の部材が用いられる。
【００２３】
図８及び図９には、前記中空筒状部材３１においてガラス板側を向いた開口部３３の縁部３３ａに前記弾性部材４１を設けない遊技機の例を示す。なお、前記図１ないし図７の例と同じ構成部分は、同一の符号を用いて示した。図８及び図９の例では、前記中空筒状部材３１におけるガラス板側を向いた開口部３３の縁部３３ａは、その全周が前記外側ガラス板２１における音声通過用開口部２２の縁部全周に当接し、前記遊技盤スピーカ２５の音声が前記外側ガラス板２１と前記中空筒状部材３１との間から漏れるのを防止し、前記音声が遊技者側に効率良く届くようになっている。その他の構成は、前記図１から図７の実施例と同様である。
【００２４】
前記説明では、中空筒状部材は中空の円筒形からなるが、本発明はこれに限られず、多角形の中空筒状であってもよい。また、遊技盤に設けるスピーカの位置は遊技領域に限られるものではなく、遊技盤に設けられていればよい。さらに、遊技盤へのスピーカの取付構造も、図示のものに限られるものではない。さらにまた、ガラス板の音声通過用開口部は、中空筒状部材においてガラス板側を向いた開口部と略同形同大の場合を示したが、これに限られるものではない。また、前記音声通過用開口部は、前記ガラス板へ向けた中空筒状部材の開口部の近傍とし、前記開口部の延長線上から外れた位置にあってもよい。さらにまた、前記保護カバーを設けないようにしたり、前記保護カバーを設けないのに加えて前記ガラス板の音声通過用口部を複数の小孔に代えたりしてもよい。
【００２５】
図１０は前記保護カバーを設けない場合の遊技機正面を示す図である。また、図１１は他の例の筒状部材５１及びスピーカ２５の取付状態を示す図である。この図１１では、前記中空筒状部材５１内の中央付近に前記スピーカ２５が取り付けられて前記中空筒状部材５１がスピーカ２５と通じるようにされ、また前記中空筒状部材５１におけるスピーカ２５前方側（遊技者側）の開口部５３が前記ガラス板（図１１では示さず）を向くようにして、前記遊技盤４のスピーカ取付穴４ｂに挿通されている。符号５２は、前記スピーカ２５の周縁の係合用凹部である。この場合、スピーカ２５の背面２５ｂよりも、前記中空筒状部材５１が後方へ突出する場合には、前記中空筒状部材５１における前記スピーカ２５背面２５ｂよりも後方部位５４は、閉じた面になっていてもよい。
【図面の簡単な説明】
【００２６】
【図１】本発明の一実施例に係る遊技機を示す正面図である。
【図２】図１の遊技機におけるガラス枠を開けた状態の斜視図である。
【図３】図１の遊技機におけるスピーカ部分の縦断面図である。
【図４】弾性部材と中空筒状部材とスピーカと台座部材を示す斜視図である。
【図５】前面枠と遊技盤の斜視図である。
【図６】前面枠へ遊技盤を取り付けた状態の斜視図である。
【図７】保護カバーとガラス板と弾性部材と中空筒状部材と台座部材を示す斜視図である。
【図８】他の実施例におけるスピーカ部分の縦断面図である。
【図９】図８の実施例における保護カバーとガラス板と中空筒状部材と台座部材を示す斜視図である。
【図１０】保護カバーを設けない場合の遊技機正面を示す図である。
【図１１】さらに他の実施例における中空筒状部材とスピーカ取付部を示す断面図である。
【符号の説明】
【００２７】
１  遊技機
４  遊技盤
５  ガラス枠
７  遊技領域
２１  外側ガラス板（透光部材）
２２  音声通過用開口部
２３  内側ガラス板（透光部材）
２４  内側ガラス板の貫通口部
２４ａ  貫通口部の中空筒状部材保護部
２５  遊技盤スピーカ（音声発生手段）
２５ａ  振動板（音声発生部）
３１  中空筒状部材
３２，３３  中空筒状部材の開口部
３３ａ  中空筒状部材の開口部の縁部
４１  弾性部材
４５  保護カバー
４６  保護カバーの小孔
５１  中空筒状部材
【図１】
2006068569.tif 000003
【図２】
2006068569.tif 000004
【図３】
2006068569.tif 000005
【図４】
2006068569.tif 000006
【図５】
2006068569.tif 000007
【図６】
2006068569.tif 000008
【図７】
2006068569.tif 000009
【図８】
2006068569.tif 000010
【図９】
2006068569.tif 000011
【図１０】
2006068569.tif 000012
【図１１】
2006068569.tif 000013